(57)【要約】【課題】係員がぶつかっても壊れ難い発券トレイを備えた発券機を提供することを課題とする。【解決手段】実施形態に係る発券機は、券類の排出口を前面に有する筐体と、この筐体の排出口に対向して鉛直方向に延設した回動軸と、この回動軸に取り付けて左右に回動可能に設け、回動の左右両端で前面に当接する、排出口に対向した発券トレイと、この発券トレイを回動の中心に復帰する復帰バネと、を有する。【選択図】      図３
2018045554.tif 000002
【特許請求の範囲】
【請求項１】
券類の排出口を前面に有する筐体と、
この筐体の前記排出口に対向して鉛直方向に延設した回動軸と、
この回動軸に取り付けて左右に回動可能に設け、回動の左右両端で前記前面に当接する、前記排出口に対向した発券トレイと、
この発券トレイを回動の中心に復帰する復帰バネと、
を有する発券機。
【請求項２】
前記発券トレイは、前記筐体に対して着脱可能である、
請求項１の発券機。
【請求項３】
前記発券トレイは、前記筐体の前面に当接する部位に緩衝部材を備える、
請求項１の発券機。
【請求項４】
前記発券トレイの回動範囲は、前記排出口から発券された券類を受け取り可能な角度範囲に設定されている、
請求項１の発券機。
【請求項５】
前記復帰バネは、前記発券トレイの回動により、前記筐体の前面を押圧する板バネである、
請求項１の発券機。
【発明の詳細な説明】
【技術分野】
【０００１】
本発明の実施形態は、例えば鉄道の駅務室内に設置された発券機に関する。
【背景技術】
【０００２】
鉄道の駅係員が作業する駅務室には、ＩＣカード処理機や磁気乗車券の発券機など、各種機器が密集して設置されており、駅係員が通るスペースが狭くなっているのが実情である。このため、例えば、発券機の前面パネルから突出している発券トレイに駅係員がぶつかって、発券トレイが壊れることがあった。
【０００３】
そのため、発券トレイを使用しないとき（例えば、磁気乗車券を１枚だけ発券する場合など）には、発券トレイを折り畳み可能にしたものや取外し可能にしたものが知られている。
【先行技術文献】
【特許文献】
【０００４】
【特許文献１】特開２０１５−１６２１６８号公報
【発明の概要】
【発明が解決しようとする課題】
【０００５】
しかし、この場合、グループ客に対して複数枚の磁気乗車券を連続して発券する場合や、回数券の束を発券する場合などには、発券トレイをその都度使用状態に展開或いは取り付けする必要があり、作業が面倒であるため、発券トレイを使用状態のままにしているのが現状であった。
【０００６】
よって、駅係員がぶつかっても壊れ難い発券トレイを備えた発券機の開発が望まれている。
【課題を解決するための手段】
【０００７】
実施形態に係る発券機は、券類の排出口を前面に有する筐体と、この筐体の排出口に対向して鉛直方向に延設した回動軸と、この回動軸に取り付けて左右に回動可能に設け、回動の左右両端で前面に当接する、排出口に対向した発券トレイと、この発券トレイを回動の中心に復帰する復帰バネと、を有する。
【図面の簡単な説明】
【０００８】
【図１】図１は、実施形態に係る発券機を含む駅務システムの概略図である。
【図２】図２は、図１の発券機の前面に設けた発券トレイを示す外観斜視図である。
【図３】図３は、図２の発券トレイを上方から見た平面図である。
【図４】図４は、図２の発券トレイを取り外した状態の発券機の外観図である。
【発明を実施するための形態】
【０００９】
以下、図面を参照しながら実施形態について詳細に説明する。  
図１は、発券機の一実施形態に係る磁気券発券装置１０（以下、単に発券装置１０と称する）を含む駅務システム１００の概略図である。駅務システム１００は、この発券装置１０の他に、磁気カード処理装置１０１、操作表示パネル１０２、ＩＣカード処理装置１０３、ジャーナルプリンタ１０４、客用表示装置１０５などを含む。ここでは、装置１０１〜１０５の詳細な説明を省略する。
【００１０】
発券装置１０は、略直方体形状の筐体１０ａを有する。筐体１０ａは、その前面側に、発券トレイ１を備えた矩形板状の前面扉１１を有する。発券トレイ１は、前面扉１１の前方に突出して設けられており、前面扉１１に対して着脱可能に取り付けられている。発券トレイ１は、回数券などの複数枚の磁気乗車券をまとめて排出可能なように、比較的容量の大きなトレイである。
【００１１】
図２は、発券トレイ１を備えた前面扉１１の外観斜視図であり、図３は、発券トレイ１を上方から見た平面図である。また、図４は、発券トレイ１を取り外した状態の前面扉１１の凹所１２を示す外観図である。図３では、前面扉１１の構造を断面で示してある。
【００１２】
前面扉１１は、図２乃至図４に示すように、発券トレイ１をその前面側に取り付けるための矩形の凹所１２を有する。凹所１２は、前面扉１１の厚み方向に凹んだ部分であり、図３に示すように、発券トレイ１の左右方向の幅Ｗよりわずかに大きな幅Ｗ’を有する。凹所１２内には、図示しない磁気券（券類）を発券する排出口１３（図４参照）が設けられている。
【００１３】
前面扉１１は、筐体１０ａの前面側の開口部に向かう内面パネル１１ａ、および筐体１０ａの表面側に配置される表面パネル１１ｂを有する。凹所１２は、表面パネル１１ｂを部分的に切り欠いて設けられ、内面パネル１１ａの一部が凹所１２の底に露出している。以下の説明では、この凹所１２の底に露出した内面パネル１１ａの表面を筐体１０ａの前面１４とみなす。つまり、表面パネル１１ｂは、化粧パネルとして機能するものである。
【００１４】
発券トレイ１は、凹所１２に向かう対向面２を有し、この対向面２に、取付ボス４、および左右一対の復帰バネ５Ｌ、５Ｒを備えている。取付ボス４および復帰バネ５Ｌ、５Ｒは、左右のネジ６、６により発券トレイ１の対向面２に締結固定されている。復帰バネ５Ｌ、５Ｒは、取付ボス４を間に挟んで左右対称な姿勢で取り付けられている。発券トレイ１を凹所１２に取り付けた状態で、発券トレイ１の対向面２と凹所１２の前面１４との間には、発券トレイ１の揺動を可能にするための隙間が形成されている。
【００１５】
取付ボス４は、図３に示すように、上下方向に一定の厚みを有する板状片であり、互いに対向した上下一対の回動軸穴３を有する。各回動軸穴３は、板状片の上下方向から互いに向かい合う方向に同軸に設けられている。２つの回動軸穴３は、それぞれ、例えば略半球状の有底の穴である。
【００１６】
この取付ボス４は、図４に示すように、凹所１２の底にある筐体１０ａの前面１４から前方に突設された上下一対の受ボス１５Ｈ、１５Ｌの間に嵌入される。受ボス１５Ｈ、１５Ｌの間の隙間は、取付ボス４の厚みよりわずかに大きく設計されている。図３では、上方の受ボス１５Ｈを図示しておらず、取付ボス４の上方の回動軸穴３が見えている。
【００１７】
上下一対の受ボス１５Ｈ、１５Ｌが取付ボス４に対向する面には、それぞれ、取付ボス４の回動軸穴３に対して回動可能に嵌合する回動軸突起１６、１６が突設されている。各回動軸突起１６は、それぞれの受ボス１５Ｈ、１５Ｌに対して突没可能に設けられ、図示しないバネにより突出方向に付勢されている。各回動軸突起１６が受ボス１５Ｈ、１５Ｌの対向面からそれぞれ突出した部分は略半球状である。
【００１８】
このため、発券トレイの取付ボス４を筐体１０ａ側の一対の受ボス１５Ｈ、１５Ｌの間に押し込むと、受ボス１５Ｈ、１５Ｌに設けた回動軸突起１６、１６がそれぞれ対応する取付ボス４の回動軸穴３、３に嵌合される。これにより、取付ボス４が一対の受ボス１５Ｈ、１５Ｌに対して回動可能となり、発券トレイ１が左右に揺動可能となる。このとき、発券トレイ１の回動軸は、受ボス１５Ｈ、１５Ｌの同軸にされた回動軸突起１６、１６である。
【００１９】
また、発券トレイ１は、取付ボス４を筐体１０ａ側の受ボス１５Ｈ、１５Ｌの間から引き抜くことで筐体１０ａから取り外し可能である。なお、本実施形態では、発券トレイ１側の取付ボス４に回動軸穴３、３を設けて筐体１０ａ側の受ボス１５Ｈ、１５Ｌに回動軸突起１６、１６を設けたが、回動軸穴を受ボス１５Ｈ、１５Ｌに設けて対応する回動軸突起１６、１６を取付ボス４に設けてもよい。
【００２０】
発券トレイ１の対向面２に設けた左右一対の復帰バネ５Ｌ、５Ｒは、図３の状態から発券トレイ１が左右いずれかに揺動した場合に、凹所１２の底にある筐体１０ａの前面１４を押圧する板バネにより形成されている。つまり、復帰バネ５Ｌ、５Ｒの基端部が発券トレイ１の対向面２に締結固定されており、先端が前面１４に向けて拡開するように延びている。本実施形態では、発券トレイ１が左右の中央に位置する図３に示すホーム位置にあるとき、各復帰バネ５Ｌ、５Ｒの先端が前面１４からわずかに離間している。
【００２１】
このため、発券トレイ１は、ホーム位置から左右に回動するわずかな遊びを有する。発券トレイ１が左右の遊びを超えて回動した場合、復帰バネ５Ｌ、５Ｒの先端が凹所１２の底の前面１４を押し、復帰バネ５Ｌ、５Ｒの復元力によって、発券トレイ１がホーム位置へ揺動されて復帰される。
【００２２】
発券トレイ１は、その対向面２の一部が前面１４に当接するまで左右に回動可能である。発券トレイ１が前面１４に当接する対向面２の部位には、衝突による衝撃を吸収するための緩衝部材１７がそれぞれ設けられている。緩衝部材１７は、発券トレイ１に設けるのではなく、凹所１２の前面１４に設けてもよく、或いは両方に設けてもよい。
【００２３】
また、凹所１２の幅Ｗ’は、発券トレイ１が左右に回動した際に、発券トレイ１の他の部位が凹所１２の縁に接触することのない幅に設定されている。このため、凹所１２の幅Ｗ’は、上述したように、発券トレイ１の幅Ｗよりわずかに大きい。また、凹所１２の深さＤ’は、発券トレイ１の対向面２と凹所１２の前面１４との間の距離Ｄよりわずかに大きい。
【００２４】
このため、例えば発券トレイ１が左に回動して緩衝部材１７が前面１４に当接した状態で、発券トレイ１の反対側（右側）の対向面２と凹所１２の前面１４との間の隙間が大きく開くことがなく、駅係員の指や衣服が挟まる心配がない。また、発券トレイ１は、凹所１２から離間した突出側の先端が湾曲しており、駅係員がぶつかった際に怪我をしない工夫がなされている。
【００２５】
以上のように、本実施形態の磁気券発券装置１０によると、左右に揺動可能な発券トレイ１を有するため、筐体１０ａの前面１４から前方に突出した発券トレイ１に駅係員がぶつかっても発券トレイ１が壊れる心配がない。上述したように、発券トレイ１は、左右に同じ角度だけ揺動可能であるため、駅係員が筐体１０ａの前面扉１１の前を左右いずれの方向に横切った場合であっても、発券トレイ１にぶつかって壊れる心配はない。
【００２６】
また、発券トレイ１の回動軸は、筐体１０ａの前面１４に沿って鉛直方向に配置されているため、左右の揺動を可能にする反面、上下方向への傾倒はできない構造となっている。このため、発券トレイ１が下方に傾いて発券トレイ１に排出した磁気乗車券が脱落する不具合を防止することができる。仮に、発券トレイ１を下方に押す強い力が作用した場合、発券トレイ１が壊れる前に取付ボス４が受ボス１５Ｈ、１５Ｌから外れ、発券トレイ１の破壊を防止することができる。
【００２７】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００２８】
例えば、上述した実施形態では、磁気乗車券を発券する磁気券発券装置１０に本発明を適用した場合について説明したが、これに限らず、磁気カードを処理する磁気カード処理装置１０１やＩＣカードを処理するＩＣカード処理装置１０３に本発明を適用しても良い。
【符号の説明】
【００２９】
１…発券トレイ、２…対向面、３…回動軸穴、４…取付ボス、５Ｌ、５Ｒ…復帰バネ、１０…磁気券発券装置、１０ａ…筐体、１１…前面扉、１２…凹所、１３…排出口、１４…前面、１５Ｈ、１５Ｌ…受ボス、１６…回動軸突起、１７…緩衝部材、１００…駅務システム。
【図１】
2018045554.tif 000003
【図２】
2018045554.tif 000004
【図３】
2018045554.tif 000005
【図４】
2018045554.tif 000006